(57)【要約】【課題】スイッチおよびコンデンサの数を低減したチャージポンプ型昇圧回路の提供。【解決手段】充電コンデンサ６１の高電位端子７５および低電位端子７４を片側接地された第１の出力コンデンサ５３の接地されていない端子７６に接続する第１の電子スイッチ２２および第２の電子スイッチ３１を有し、これら電子スイッチ２２，３１が同時に導通しないこと、さらに充電コンデンサ６１の高電位端子７５を片側接地された第２の出力コンデンサ５１の接地されていない端子７７に接続する第３の電子スイッチ３２を有し、第３の電子スイッチ３２が第２の電子スイッチ３１と同時に導通する。【選択図】　　　図１
2004064937.tif 000002
【特許請求の範囲】
【請求項１】
複数のコンデンサと複数の電子スイッチを用いて入力電圧を昇圧するチャージポンプ型昇圧回路であって、
前記入力電圧で充電される１個の充電コンデンサと、前記入力電圧および前記充電コンデンサの端子電圧を用いて前記入力電圧の複数倍の電圧を発生する複数の出力コンデンサとを含むことを特徴とするチャージポンプ型昇圧回路。
【請求項２】
前記充電コンデンサは両端子に少なくとも１つ以上の前記電子スイッチが接続され、前記出力コンデンサは常に片側の端子が接地されることを特徴とする請求項１記載のチャージポンプ型昇圧回路。
【請求項３】
第１のタイミングで前記充電コンデンサに前記入力電圧を充電すること、第２のタイミングで入力電源と前記充電コンデンサの低電位端子を接続して高電位端子に発生する前記入力電圧の２倍の電圧を常に片側接地された第１の出力コンデンサに充電すること、第３以降の任意のタイミング（第Ｎ：Ｎは３以上の整数）で前記充電コンデンサの前記低電位端子と、前記入力電圧の（Ｎ−１）倍の電位を保持した常に片側接地された第（Ｎ−２）の出力コンデンサの片側接地されていない端子とを接続して、前記高電位端子に発生する前記入力電圧のＮ倍の電圧を、常に片側接地された第（Ｎ−１）の出力コンデンサに充電することを特徴とする請求項１または２記載のチャージポンプ型昇圧回路。
【請求項４】
複数のコンデンサと複数の電子スイッチを用いて入力電圧を昇圧するチャージポンプ型昇圧回路であって、両端子に少なくとも１つ以上の電子スイッチを接続した充電コンデンサを前記入力電圧で充電する動作と、常に片側接地された出力コンデンサを充電する動作と、前記充電コンデンサの低電位端子と前記片側接地された出力コンデンサの接地されていない端子を接続することにより、前記充電コンデンサの高電位端子に前記充電コンデンサに充電された電位より高い電位に昇圧する動作を行うことを特徴とする請求項１から３いずれか記載のチャージポンプ型昇圧回路。
【請求項５】
少なくとも１つ以上の前記常に片側接地された出力コンデンサの接地されていない端子が前記充電コンデンサの前記高電位端子および前記低電位端子とそれぞれ第１の電子スイッチと第２の電子スイッチを介して接続され、前記第１の電子スイッチと前記第２の電子スイッチが同時に導通しないことを特徴とする請求項１から４いずれか記載のチャージポンプ型昇圧回路。
【請求項６】
前記少なくとも１　つ以上の常に片側接地された出力コンデンサの前記接地されていない端子に発生した電圧を負荷に供給することを特徴とする請求項１から５いずれか記載のチャージポンプ型昇圧回路。
【請求項７】
前記回路において前記充電コンデンサに前記入力電圧を充電した後，入力電源と前記充電コンデンサの前記低電位端子を接続して前記高電位端子に発生する入力電圧の２倍の電圧を前記第１の電子スイッチを導通させて前記常に片側接地された出力コンデンサに充電することを特徴とする請求項５または６記載のチャージポンプ型昇圧回路。
【請求項８】
前記回路において電子スイッチの切り替えを行う３相以上のクロックを発生させるクロック生成回路を具備することを特徴とする請求項１から７いずれか記載のチャージポンプ型昇圧回路。
【請求項９】
前記回路において接続を切り替える電子スイッチがＭＯＳトランジスタで構成されることを特徴とした請求項１から８いずれか記載のチャージポンプ型昇圧回路。
【請求項１０】
前記回路において接続を切り替える電子スイッチが薄膜トランジスタで構成されることを特徴とした請求項１から９いずれか記載のチャージポンプ型昇圧回路。
【発明の詳細な説明】
【０００１】
【発明の属する技術分野】
本発明は、チャージポンプ型昇圧回路に関し、特に供給された直流電圧を任意のレベルの直流電圧に変換するＤＣ／ＤＣコンバータ回路、特に単一供給電源からより高い電圧を発生させるチャージポンプ型昇圧回路に関する。
【０００２】
【従来の技術】
トランジスタなどの電子スイッチおよびコンデンサにより構成されるチャージポンプ型昇圧回路は、外部より供給される電圧を必要な高電圧に昇圧する回路である。この回路は電子スイッチを半導体トランジスタや薄膜トランジスタなどで集積化することで小型軽量化できるため、携帯電話やパソコンなどの携帯機器に用いられている。
【０００３】
この種の技術の一例が特開２０００−２３６６５８号公報および特開平９−１９１６３９号公報に開示されている。図１０は特開２０００−２３６６５８号公報の図６や、特開平９−１９１６３９号公報の図３ですでに示された、従来の３倍昇圧回路の１例の回路図である。
【０００４】
この回路は少なくとも、充電スイッチ４個と充電コンデンサ２個、さらに昇圧スイッチ３個と昇圧された電圧を保持する、常に片側接地された出力コンデンサ１個で構成される。
【０００５】
充電スイッチ１１は、入力電源１の端子７２と充電コンデンサ６１の端子７５を結び、充電スイッチ１２は充電コンデンサ６１の端子７４と接地点７１と結び、充電スイッチ１３は入力電源１の端子７２と充電コンデンサ６２の端子７９を結び、充電スイッチ１４は充電コンデンサ６２の端子７８と接地点７１と結ぶ。
【０００６】
昇圧スイッチ２１は入力電源１の端子７２と充電コンデンサ６１の端子７４を結び、昇圧スイッチ２２は充電コンデンサ６１の端子７５と充電コンデンサ６２の端子７８を結び、昇圧スイッチ２３は充電コンデンサ６２の端子７９と出力コンデンサ５１の端子７７を結ぶ。
【０００７】
次に、図１０におけるスイッチの動作のタイミングチャートを図１１に示す。充電スイッチ１１，１２，１３，１４が導通（ＯＮ）し、昇圧スイッチ２１，２２，２３が非導通（ＯＦＦ）となると、充電コンデンサ６１，６２は入力電源１に接続され、入力電圧が充電される。次に、昇圧スイッチ２１，２２，２３が導通し、充電スイッチ１１，１２，１３，１４が非導通となると、入力電源１と充電コンデンサ６１，６２が直列接続して、出力コンデンサ５１は入力電圧の３倍で充電され、負荷５２には３倍昇圧電圧が供給される。
【０００８】
携帯機器に内蔵される表示装置へ電圧を供給する場合には、データ線駆動回路用やゲート線駆動回路用など複数の電圧を単一の電源から生成する必要がある。そのための従来構成例として、２倍昇圧と３倍昇圧電圧を同時に供給する回路を図１２に示す。図１０との違いは２倍昇圧電圧を負荷に供給するために昇圧スイッチ２２および出力コンデンサ５３、負荷５４が追加された点である。
【０００９】
昇圧スイッチ２２は充電コンデンサ６１の端子７５と出力コンデンサ５３の端子７６を結んでいる。この回路のスイッチも図１１に示したタイミングで動作をする。この回路は少なくとも、充電用スイッチ４個と充電用コンデンサ２個、さらに昇圧用スイッチ４個と昇圧された電圧をホールドする出力コンデンサ２個で構成される。
【００１０】
【発明が解決しようとする課題】
電子スイッチをＭＯＳ（ｍｅｔａｌ−ｏｘｉｄｅ　ｓｅｍｉｃｏｎｄｕｃｔｏｒ）トランジスタとした場合、スイッチが導通した際の抵抗すなわちオン抵抗を下げるために、巨大なサイズのトランジスタでスイッチを構成する必要がある。そのため、スイッチの数だけ回路レイアウト面積が増加していく。一方，充電や出力を保持するために用いるコンデンサをセラミックコンデンサなど集積回路の外付け部品とした場合、コンデンサ数の増加は電源回路の小型軽量化の妨げとなる。またコンデンサを集積回路に組み込む場合は、回路のレイアウト面積の増加につながる。
【００１１】
昇圧回路を携帯機器に応用する場合、小型軽量化および省電力化が求められる。チャージポンプ型昇圧回路においては、コンデンサの数を減らすことが軽量化、小面積化に有効である。また回路を構成するスイッチの数を減らすことは小面積化にもつながる。　そこで、本発明の目的は、チャージポンプ型昇圧回路を構成する部品である、スイッチおよびコンデンサの数を減らしてもなお、従来と同等の動作をするチャージポンプ型昇圧回路を提供することにある。
【００１２】
【課題を解決するための手段】
前記課題を解決するため本発明に係るチャージポンプ型昇圧回路は、複数のコンデンサと複数の電子スイッチを用いて入力電圧を昇圧するチャージポンプ型昇圧回路であって、前記入力電圧で充電される１個の充電コンデンサと、前記入力電圧および前記充電コンデンサの端子電圧を用いて前記入力電圧の複数倍の電圧を発生する複数の出力コンデンサとを含むことを特徴とする。
【００１３】
本発明は、複数のコンデンサと複数の電子スイッチを用いて入力電圧を昇圧するチャージポンプ型昇圧回路において、両端子に少なくとも１つ以上の電子スイッチを接続したコンデンサと、常に片側端子が接地された出力コンデンサを２つ以上具備することを特徴としている。
【００１４】
また本発明では、充電コンデンサを入力電圧で充電する動作と、常に片側接地された出力コンデンサを充電する動作と、充電コンデンサの低電位端子と前記片側接地された出力コンデンサの接地されていない端子を接続することにより、充電コンデンサの高電位端子に充電コンデンサに充電した電圧以上の高電圧を昇圧することを特徴としている。
【００１５】
このような動作を行うために本発明は（以下、図１参照）、充電コンデンサ６１の高低電位端子７５および低電位端子７４が常に片側接地された第１の出力コンデンサ５３の接地されていない端子７６とそれぞれ第１の電子スイッチ２２と第２の電子スイッチ３１とを介して接続され、第１の電子スイッチ２２と第２の電子スイッチ３１が同時に導通しないこと、さらに充電コンデンサ６１の高電位端子７５が常に片側接地された第２の出力コンデンサ５１の接地されていない端子７７と第３の電子スイッチ３２を介して接続され、第３の電子スイッチ３２が第２の電子スイッチ３１と同時に導通することを特徴としている。
【００１６】
本発明において、昇圧に用いられるコンデンサはその多くが片側端子を接地していることから、電子スイッチ回路を集積化した場合、集積回路とコンデンサを接続する接点の数は両端子を電子スイッチに接続する場合に比べて低減される。また片側接地された出力コンデンサに保持された昇圧電圧は、接地されていない端子を直接負荷に接続することで負荷に供給することができる。よって複数の異なる電圧の昇圧電圧を異なる負荷に供給する場合に、新たにコンデンサや電子スイッチを追加せずにその機能が果たすことができる。
【００１７】
より具体的には、予め入力電圧で充電された充電コンデンサ６１の低電位端子７４を入力電源１と接続することで、充電コンデンサ６１の高電位端子７５を入力電圧の２倍に昇圧し、第１の電子スイッチ２２を導通させて第１の出力コンデンサ５３の接地されていない端子７６を充電コンデンサ６１の高電位端子７５と等電位にする。
【００１８】
次に、第２の電子スイッチ３１を導通させて充電コンデンサ６１の低電位端子７４を第１の出力コンデンサ５３の接地されていない端子７６の電位である入力電圧の２倍に等しくすることで、充電コンデンサ６１の高電位端子７５の電位は入力電圧の３倍の電位まで昇圧される。
【００１９】
そして、この３倍昇圧電位を片側接地された第２の出力コンデンサ５１に保持させるために、充電コンデンサ６１の高電位端子７５と第２の出力コンデンサ５１の接地されていない端子７７を結ぶ第３の電子スイッチ３２を導通させる。
【００２０】
【発明の実施の形態】
以下、本発明の実施の形態について添付図面を参照して詳細に説明する。図１は本発明に係るチャージポンプ型昇圧回路の第１の実施の形態の回路図である。図１は３倍昇圧回路の一例を示している。この３倍昇圧回路は充電スイッチ２個と、充電コンデンサ１個と、昇圧スイッチ４個と、常に片側接地された出力コンデンサ２個とで構成される。
【００２１】
充電スイッチ１１は、入力電源１の端子７２と充電コンデンサ６１の端子７５を結び、充電スイッチ１２は充電コンデンサ６１の端子７４と接地点７１を結ぶ。昇圧スイッチ２１は、入力電源１の端子７２と充電コンデンサ６１の端子７４を結び、昇圧スイッチ２２は充電コンデンサ６１の端子７５と出力コンデンサ５３の端子７６を結ぶ。昇圧スイッチ３１は出力コンデンサ５３の端子７６と充電コンデンサ６１の端子７４を結び、昇圧スイッチ３２は充電コンデンサ６１の端子７５と出力コンデンサ５１の端子７７を結ぶ。この特徴は、出力コンデンサ５３の接地されていない端子７６にスイッチ２２およびスイッチ３１が接続されている点である。なお、出力コンデンサ５１と並列に３倍昇圧用負荷が接続されている。
【００２２】
次に、この３倍昇圧回路の動作について説明する。図２は本発明に係る３倍昇圧回路の制御信号のタイミングチャートである。本発明の３倍昇圧回路は、図２に示したタイミングでスイッチが導通（ＯＮ）、非導通（ＯＦＦ）を繰り返すことで昇圧動作を行う。
【００２３】
第１のタイミングでは、スイッチ１１と１２が導通し、他はすべて非導通となる。このとき充電コンデンサ６１は入力電源１と接続し、入力電圧（Ｖａとする）が充電される。
【００２４】
第２のタイミングでは、スイッチ２１と２２が導通し、他がすべて非導通となる。入力電源１と充電コンデンサ６１が直列に接続し、入力電圧（Ｖａ）の２倍（２Ｖａ）が出力コンデンサ５３に充電される。
【００２５】
第３のタイミングでは、スイッチ３１と３２が導通し、他がすべて非導通となる。このとき入力電圧（Ｖａ）の２倍（２Ｖａ）を充電した出力コンデンサ５３と入力電圧（Ｖａ）を充電した充電コンデンサ６１が直列に接続され、出力コンデンサ５１には入力電圧の３倍（３Ｖａ）が充電される。そして３倍昇圧用負荷５２には３倍昇圧電圧（３Ｖａ）が供給される。
【００２６】
上記の実施形態は３倍昇圧に関する記述であるが、これはＮ倍昇圧に一般化することができる（Ｎは３以上の整数）。すなわち、第Ｎのタイミングで、（Ｎ−１）倍の電圧を保持した出力コンデンサと充電コンデンサを直列に接続して、別の出力コンデンサをＮ倍の電圧で充電することでＮ倍の昇圧電圧を負荷に供給する。
【００２７】
次に、第２の実施の形態について説明する。第２の実施の形態は２倍および３倍昇圧回路に関するものである。図３は本発明に係る２倍および３倍昇圧回路の一例の回路図である。なお、同図において図１と同様の構成部分には同一番号を付し、その説明を省略する。
【００２８】
図１に示した本発明における３倍昇圧回路では、出力コンデンサ５３は端子の片側が接地された上で、入力電圧の２倍が充電されている。よって図３に示すように、端子７６に２倍昇圧用負荷５４を接続することで、入力電圧の２倍の一定電圧を供給することができる。
【００２９】
本実施形態を図１２に示した従来の構成と比較すると、機能はともに２倍および３倍昇圧電圧を同時に供給する点で同じである。しかしながら従来構成では２倍昇圧電圧を取り出すためにスイッチおよびコンデンサを追加するため、本発明は同じ機能を少ないスイッチ、コンデンサ数で果たしているといえる。
【００３０】
上記の実施の形態は３倍昇圧に関する記述であるが、第１の実施の形態同様、Ｎ倍昇圧についても考えることができる（Ｎは３以上の整数）。すなわちＮ倍昇圧回路において、２〜Ｎ倍の昇圧電圧を保持した出力コンデンサに負荷をつなぐことで２〜Ｎ倍の昇圧電圧が同時に供給される。
【００３１】
【実施例】
次に本発明の実施例を添付図面を参照して説明する。本実施例は、表示装置に必要な電圧を生成する表示装置用電源回路に関するものである。図４は本発明に係る表示装置用電源回路の一例の回路図である。
【００３２】
図４を参照すると、表示装置用電源回路は、入力電圧（以下、ＶＤＤと表示する）からデータ線駆動回路に供給する２倍昇圧電圧とゲート線駆動回路に供給する３倍昇圧電圧および−２倍昇圧電圧を生成する機能を有する。本表示装置用電源回路は、昇圧回路と、クロック（スイッチ制御信号）生成回路と、レベルシフト（ＬＳ）回路とから構成される。
【００３３】
昇圧回路を構成するスイッチはＭＯＳトランジスタで作られる。図４においてスイッチ１０２，１０４，１０５，１０６，１０７，１１１，１１４はＰチャネルＭＯＳトランジスタで構成され、スイッチ１０３，１１２，１１３はＮチャネルＭＯＳトランジスタで構成される。
【００３４】
図５はクロック生成回路の一例の回路図である。クロック生成回路１２１は図５のように３分周回路１５１と、フリップフロップ回路１５２，１５３，１５４と、２分周回路１５５と、インバータ１５６とで構成される。
【００３５】
図６はレベルシフト回路（ＬＳ１）の一例の回路図、図７はレベルシフト回路（ＬＳ２）の一例の回路図である。レベルシフト回路（ＬＳ１）１３０，１３１，１３２は図６に示すように、また、レベルシフト回路（ＬＳ２）１３３は図７に示すように、ＭＯＳトランジスタおよびインバータで構成される。すなわち、図６を参照すると、レベルシフト回路（ＬＳ１）はＰチャネルＭＯＳトランジスタ１６０，１６１と、ＮチャネルＭＯＳトランジスタ１６２，１６３と、インバータ１６４〜１６７とにより構成され、図７を参照すると、レベルシフト回路（ＬＳ２）はＰチャネルＭＯＳトランジスタ１７０，１７１，１７４，１７５と、ＮチャネルＭＯＳトランジスタ１７２，１７３，１７６，１７７と、インバータ１７８〜１８１とにより構成されている。
【００３６】
多結晶シリコン薄膜トランジスタ技術により、表示装置を構成するデータ線駆動回路やゲート線駆動回路は画素駆動用薄膜トランジスタと同じプロセスで同じガラス基板上に集積化される傾向にあり、部品点数の削減、表示装置の狭額縁化に貢献している。本実施例で示す表示装置用電源回路も同様に、構成を変更せずにＭＯＳトランジスタを薄膜トランジスタに置き換えることで表示装置のガラス基板上に集積化することができる。その場合でも本発明の目的は達成される。
【００３７】
以下、本実施例の動作を説明する。クロック生成回路１２１は、入力クロック１２０から１２２〜１２９のスイッチ制御信号を出力する。これらのスイッチ制御信号１２２〜１２９は図８に示すタイミングで出力される。
【００３８】
次にレベルシフト回路（ＬＳ１）１３０，１３１，１３２は、０Ｖ〜ＶＤＤのスイッチ制御信号１２２〜１２７を、０Ｖ〜３ＶＤＤにレベル変換し、ゲート信号１３４，１３５，１３６，１３７としてそれぞれ出力する。また、レベルシフト回路（ＬＳ２）１３３は、０Ｖ〜ＶＤＤのスイッチ制御信号１２８，１２９を、−２ＶＤＤ〜２ＶＤＤにレベル変換し、ゲート信号１３８，１３９としてそれぞれ出力する。ゲート信号１３４〜１３９は図９に示すタイミングで出力される。
【００３９】
次に昇圧回路の動作を説明する。始めにゲート信号１３４が０Ｖ、ゲート信号１３５が３ＶＤＤのとき、ＰチャネルＭＯＳトランジスタ１０２とＮチャネルＭＯＳトランジスタ１０３が導通してコンデンサ１０８はＶＤＤに充電される。
【００４０】
次にゲート信号１３６が０Ｖのとき、ＰチャネルＭＯＳトランジスタ１０４と１０５が導通して端子２０１の電位はＶＤＤに、端子２０２および２０３の電位は２ＶＤＤとなり、出力コンデンサ１０９は２ＶＤＤに充電される。
【００４１】
そしてゲート信号１３７が０Ｖのとき、ＰチャネルＭＯＳトランジスタ１０６と１０７が導通して、端子２０１の電位は端子２０３と同じ２ＶＤＤに、端子２０２および２０４の電位は３ＶＤＤとなり、出力コンデンサ１１０は３ＶＤＤに充電される。
【００４２】
ゲート信号１３８が２ＶＤＤ、ゲート信号１３９が−２ＶＤＤのとき、ＰチャネルＭＯＳトランジスタ１１１とＮチャネルＭＯＳトランジスタ１１２が導通して、端子２０５の電位は端子２０３と等しい２ＶＤＤとなり、また端子２０６の電位は０Ｖになる。よって極性反転用コンデンサ１１５には２ＶＤＤが充電される。
【００４３】
次にゲート信号１３８が−２ＶＤＤ、ゲート信号１３９が２ＶＤＤのとき、ＰチャネルＭＯＳトランジスタ１１４とＮチャネルＭＯＳトランジスタ１１３が導通する。端子２０５の電位は０Ｖとなり、極性反転用コンデンサ１１５に充電された２ＶＤＤにより端子２０６および２０７の電位は−２ＶＤＤとなり、出力コンデンサ１１６には−２ＶＤＤが充電される。
【００４４】
【発明の効果】
本発明によるチャージポンプ型昇圧回路は、複数のコンデンサと複数の電子スイッチを用いて入力電圧を昇圧するチャージポンプ型昇圧回路であって、前記入力電圧で充電される１個の充電コンデンサと、前記入力電圧および前記充電コンデンサの端子電圧を用いて前記入力電圧の複数倍の電圧を発生する複数の出力コンデンサとを含んで構成されるため、チャージポンプ型昇圧回路を構成する部品である、スイッチおよびコンデンサの数を減らしてもなお、従来と同等の動作をするチャージポンプ型昇圧回路を提供することが可能となる。
【００４５】
本発明におけるチャージポンプ型昇圧回路では、すでに昇圧電圧を保持している片側接地された出力コンデンサをさらに高電位の電圧を昇圧するために用いる。そのため昇圧に必要な、両側に電子スイッチを接続した充電コンデンサや、電子スイッチの数を低減することができる。以下に本発明による効果を書き下す。
【００４６】
本発明による第１の効果は、チャージポンプ型Ｎ倍昇圧回路を構成する電子スイッチの数を減らしても、同じ昇圧電圧が得られることにあり、回路面積の低減につながる（Ｎは３以上の整数）。
【００４７】
第２の効果は、外付け部品であるコンデンサの数を減らせる点であり、Ｎ倍の昇圧回路において２〜Ｎ倍のうち複数の昇圧電圧を同時に負荷に供給する構成の場合に有効である（Ｎは３以上の整数）。これにより表示装置など複数の電圧を必要とする電源回路の小型軽量化が図れる。
【図面の簡単な説明】
【図１】本発明に係るチャージポンプ型昇圧回路の第１の実施の形態の回路図である。
【図２】本発明に係る３倍昇圧回路の制御信号のタイミングチャートである。
【図３】本発明に係る２倍および３倍昇圧回路の一例の回路図である。
【図４】本発明に係る表示装置用電源回路の一例の回路図である。
【図５】クロック生成回路の一例の回路図である。
【図６】レベルシフト回路（ＬＳ１）の一例の回路図である。
【図７】レベルシフト回路（ＬＳ２）の一例の回路図である。
【図８】スイッチ制御信号のタイミングチャートである。
【図９】ゲート信号のタイミングチャートである。
【図１０】従来の３倍昇圧回路の１例の回路図である。
【図１１】図１０におけるスイッチの動作のタイミングチャートである。
【図１２】従来の２倍昇圧と３倍昇圧電圧を同時に供給する回路の回路図である。
【符号の説明】
１　入力電源
１１，１２，１３，１４　充電スイッチ
２１，２２，２３，２４　昇圧スイッチ
３１，３２　昇圧スイッチ
５１　３倍昇圧出力コンデンサ
５２　３倍昇圧出力用負荷
５３　２倍昇圧出力コンデンサ
５４　２倍昇圧出力用負荷
６１，６２　充電コンデンサ
７１〜７８　外部接続端子
１０１　入力電源
１０２，１０４，１０５，１０６　ＰチャネルＭＯＳトランジスタ
１０７，１１１，１１４　ＰチャネルＭＯＳトランジスタ
１０３，１１２，１１３　ＮチャネルＭＯＳトランジスタ
１０８　充電コンデンサ
１０９　２倍昇圧出力コンデンサ
１１０　３倍昇圧出力コンデンサ
１１５　極性反転用コンデンサ
１１６　−２倍昇圧出力コンデンサ
１２０　クロック信号
１２１　クロック生成回路
１２２〜１２９　スイッチ制御信号
１３０，１３１，１３２　レベルシフト回路（ＬＳ１）
１３３　レベルシフト回路（ＬＳ２）
１３４〜１３９　ゲート信号
１５１　３分周回路
１５２〜１５４　フリップフロップ回路
１５５　２分周回路
１５６　インバータ
１６０，１６１　ＰチャネルＭＯＳトランジスタ
１６２，１６３　ＮチャネルＭＯＳトランジスタ
１６４〜１６７　インバータ
１７０，１７１，１７４，１７５　ＰチャネルＭＯＳトランジスタ
１７２，１７３，１７６，１７７　ＮチャネルＭＯＳトランジスタ
１７８〜１８１　インバータ
２０１，２０２　充電コンデンサ端子
２０３　２倍昇圧出力端子
２０４　３倍昇圧出力端子
２０５，２０６　反転用充電コンデンサ端子
２０７　−２倍昇圧出力端子
２０８　０Ｖ端子
【図１】
2004064937.tif 000003
【図２】
2004064937.tif 000004
【図３】
2004064937.tif 000005
【図４】
2004064937.tif 000006
【図５】
2004064937.tif 000007
【図６】
2004064937.tif 000008
【図７】
2004064937.tif 000009
【図８】
2004064937.tif 000010
【図９】
2004064937.tif 000011
【図１０】
2004064937.tif 000012
【図１１】
2004064937.tif 000013
【図１２】
2004064937.tif 000014